(57)【要約】【課題】芝地におけるサッチ層の堆積抑制方法を提供すること。【解決手段】被覆粒状窒素肥料(a)及び２５℃水中における窒素肥料成分の８０％溶出期間が被覆粒状窒素肥料(a)の８０％溶出期間より３０〜１００日長い被覆粒状窒素肥料(b)を含有する肥料組成物、好ましくは被覆粒状窒素肥料(a)及び被覆肥料組成物(b)が被覆粒状尿素であり、被覆粒状窒素肥料(a)と被覆肥料組成物(b)との比率が３：７〜７：３である肥料組成物を、生育期初期の芝草に施用することを特徴とする芝地におけるサッチ層の堆積抑制方法。【選択図】なし【特許請求の範囲】
【請求項１】
芝地におけるサッチ層の堆積抑制のための、
被覆粒状窒素肥料(a)及び２５℃水中における窒素肥料成分の８０％溶出期間が被覆粒状窒素肥料(a)より３０〜１００日長い被覆粒状窒素肥料(b)を含有する肥料組成物の使用。
【請求項２】
被覆粒状窒素肥料(a)及び被覆粒状窒素肥料(b)が被覆粒状尿素である請求項１記載の使用。
【請求項３】
被覆粒状窒素肥料(a)と被覆粒状窒素肥料(b)との比率が、含有される窒素肥料成分換算で３：７〜７：３の比率である請求項１又は２記載の使用。
【請求項４】
被覆粒状窒素肥料(a)の２５℃水中における窒素肥料成分の８０％溶出期間が４０〜１２０日である請求項１〜３のいずれか記載の使用。
【請求項５】
被覆粒状窒素肥料(a)及び２５℃水中における窒素肥料成分の８０％溶出期間が被覆粒状窒素肥料(a)の８０％溶出期間より３０〜１００日長い被覆粒状窒素肥料(b)を含有する肥料組成物を、生育期初期の芝草に施用することを特徴とする芝地におけるサッチ層の堆積抑制方法。
【請求項６】
被覆粒状窒素肥料(a)及び被覆粒状窒素肥料(b)における窒素肥料成分の合計量が１ｍ2当り３〜１５ｇであることを特徴とする請求項５記載の方法。
【請求項７】
被覆粒状窒素肥料(a)及び被覆粒状窒素肥料(b)が被覆粒状尿素である請求項５又は６記載の方法。
【請求項８】
被覆粒状窒素肥料(a)と被覆粒状窒素肥料(b)との比率が、含有される窒素肥料成分換算で３：７〜７：３の比率である請求項５〜７のいずれか記載の方法。
【請求項９】
被覆粒状窒素肥料(a)の２５℃水中における窒素肥料成分の８０％溶出期間が４０〜１２０日である請求項５〜８のいずれか記載の方法。
【発明の詳細な説明】
【技術分野】
【０００１】
本発明は芝地におけるサッチ層の堆積抑制方法に関する。
【背景技術】
【０００２】
ゴルフ場、公園等のような芝地において、芝草の刈りかすや、枯死した芝草の茎、葉、根等が集積し、分解しないで残っている有機物をサッチといい、層状に形成されたサッチの堆積部分をサッチ層という。芝地においてサッチ層が形成されると、水分、空気、肥料、農薬等の土壌への移行が妨げられて、芝草が弱ったり、芝草病害の菌の巣となったりするので、芝草の管理においては芝地におけるサッチ層を過度に堆積させないことが重要である。
サッチ層の堆積抑制方法としては、芝草の刈りかすを機械的に除去する方法や、サッチを分解する特殊な菌体組成物を施用する方法等（例えば、特許文献１）が知られている。
【０００３】
【特許文献１】特開平１１−２２５７４８号公報
【発明の開示】
【発明が解決しようとする課題】
【０００４】
しかしながら、刈りカスの除去や菌体組成物の施用等、サッチ層の堆積抑制する為の新たな作業が増加し、芝草の生育管理作業はより煩雑である。
【課題を解決するための手段】
【０００５】
本発明者はそのような状況において、芝地におけるサッチ層の堆積抑制する方法を鋭意検討し、本発明に至った。
【０００６】
即ち、本発明は以下の発明を含む。
［発明１］
芝地におけるサッチ層の堆積抑制のための、
被覆粒状窒素肥料(a)及び２５℃水中における窒素肥料成分の８０％溶出期間が被覆粒状窒素肥料(a)より３０〜１００日長い被覆粒状窒素肥料(b)を含有する肥料組成物の使用。
［発明２］
被覆粒状窒素肥料(a)及び被覆粒状窒素肥料(b)が被覆粒状尿素である発明１記載の使用。
［発明３］
被覆粒状窒素肥料(a)と被覆粒状窒素肥料(b)との比率が、含有される窒素肥料成分換算で３：７〜７：３の比率である発明１又は２記載の使用。
［発明４］
被覆粒状窒素肥料(a)の２５℃水中における窒素肥料成分の８０％溶出期間が４０〜１２０日である発明１〜３のいずれか記載の使用。
［発明５］
被覆粒状窒素肥料(a)及び２５℃水中における窒素肥料成分の８０％溶出期間が被覆粒状窒素肥料(a)の８０％溶出期間より３０〜１００日長い被覆粒状窒素肥料(b)を含有する肥料組成物を、生育期初期の芝草に施用することを特徴とする芝地におけるサッチ層の堆積抑制方法。
［発明６］
被覆粒状窒素肥料(a)及び被覆粒状窒素肥料(b)における窒素肥料成分の合計量が１ｍ2当り３〜１５ｇであることを特徴とする発明５記載の方法。
［発明７］
被覆粒状窒素肥料(a)及び被覆粒状窒素肥料(b)が被覆粒状尿素である発明５又は６記載の方法。
［発明８］
被覆粒状窒素肥料(a)と被覆粒状窒素肥料(b)との比率が、含有される窒素肥料成分換算で３：７〜７：３の比率である発明５〜７のいずれか記載の方法。
［発明９］
被覆粒状窒素肥料(a)の２５℃水中における窒素肥料成分の８０％溶出期間が４０〜１２０日である発明５〜８のいずれか記載の方法。
【発明の効果】
【０００７】
本発明の方法により、芝地におけるサッチ層の堆積抑制することができる。
【発明を実施するための最良の形態】
【０００８】
次に、本発明を詳しく説明する。
本発明において、芝地に生育する芝草とは日本のゴルフ場や公園において栽培されている地上を這う根茎を有するイネ科の草を意味し、具体的にはベントグラス（Agrostis stolonifera、Agrostis tenuis）、ノシバ（Zoysia japonica）、コウライシバ（Zoysia matrella）、ビロードシバ（Zoysia tenuifolia）、バミューダグラス（Cynodon dactylon）、ブルーグラス（Poa annua、Poa pratensis、Poa trivialis）、ライグラス（Loium perenne）等が挙げられる。
芝草における生育期（通常、気温が生育適温域にあり、繁殖期に相当する期間）及び休眠期若しくは生育衰退期の時期及びその割合は、芝草の種類及び地域により多少変化するが、例えば暖地型芝草であるコウライシバの生育期は本州以南において3月〜12月の期間が生育期であり、寒地型芝草であるベントグラス及びブルーグラスは北海道や高冷地においては４月〜１１月の期間、本州以南においては３月〜１２月の期間が生育期である。
本発明において、芝草の生育期初期とは上記の芝草の生育期における最初の２〜３.５ヶ月の期間を意味する。
【０００９】
本発明において、芝地におけるサッチ層の堆積抑制のために用いられる肥料組成物は、２５℃水中における窒素肥料成分の８０％溶出期間（以下、溶出持続期間と記す。）が３０〜１００日異なる被覆粒状窒素肥料を２種類含有するが、本発明においては溶出持続期間が短い被覆粒状肥料を被覆粒状肥料(a)、溶出持続期間が長い被覆粒状肥料を被覆粒状肥料(b)と記す。
本発明において、被覆粒状窒素肥料(a)は溶出持続期間が４０〜１５０日であることが好ましく、被覆粒状窒素肥料(b)の溶出持続期間が被覆粒状窒素肥料(a)の溶出持続期間よりも４０〜８０日長いことが好ましい。
本発明において、溶出持続期間は下記のような方法にて求めることができる。
まず、被覆粒状窒素肥料の７．５０ｇをサンプル瓶に計り取り、蒸留水１００ｍｌを加える。その後、２５℃で一定期間毎に上澄み液０．５ｍｌを分取して、水中に溶出した窒素肥料成分の量を測定する。以下の式に従って溶出率（％）を算出して、溶出率の変化を記録して、８０％相当量の窒素肥料成分が溶出するまでの期間を求める。
溶出率（％）＝（水中に溶出した尿素の重量／尿素の全重量）×１００
【００１０】
本発明において、被覆粒状窒素肥料(a)及び被覆粒状窒素肥料(b)はいずれも通常、窒素肥料成分を含有する粒状肥料の表面を樹脂の被膜で被覆することにより製造することができる。その樹脂被覆の方法としては特に限定されず、公知の方法により被覆することができるが、例えば特開平９−２０８３５５号公報に記載されているように、攪拌装置自身の回転により、粒状肥料を転動させながら、未硬化の熱硬化性樹脂を添加し、粒状肥料の表面にて樹脂を硬化させて被膜を形成する方法や、特開平１０−１５８０８４号公報に記載されているように、噴流塔内にて粒状肥料を噴流状態とし、熱可塑性樹脂の溶液を噴霧し、熱風にて溶媒を除去することにより被膜を形成する方法等を用いることができる。
被覆粒状窒素肥料(a)及び被覆粒状窒素肥料(b)に用いられる被膜材としては、例えばポリエチレン樹脂、ポリプロピレン樹脂等の熱可塑性樹脂、フェノール樹脂、アルキド樹脂、ポリウレタン樹脂等の熱硬化性樹脂が挙げられる。また、特開昭６３−１４７８８８号、特開平２−２７５７９２号、特開平４−２０２０７８号、特開平４−２０２０７９号、特開平５−２０１７８７号、特開平６−５６５６７号、特開平６−８７６８４号、特開平６−１９１９８０号、特開平６−１９１９８１号、特開平６−８７６８４号等に開示された各種の被覆材を挙げることができる。
【００１１】
被覆粒状窒素肥料(a)及び被覆粒状窒素肥料(b)は、いずれも窒素肥料成分を含有するが、窒素肥料成分を含有する化合物としては、例えば尿素、硝酸アンモニウム、硝酸苦土アンモニウム、塩化アンモニウム、硫酸アンモニウム、リン酸アンモニウム、硝酸ソーダ、硝酸カルシウム、硝酸加里、石灰窒素等が挙げられる。
本発明において、被覆粒状窒素肥料(a)及び被覆粒状窒素肥料(b)としては被覆粒状尿素が好ましい。
【００１２】
本発明の方法において、使用される肥料組成物（以下、本肥料組成物と記す。）は被覆粒状窒素肥料(a)及び被覆粒状窒素肥料(b)を含有するが、好ましくは含有される窒素肥料成分換算で、被覆粒状窒素肥料(a)：被覆粒状窒素肥料(b)＝３：７〜７：３の比率である。
また、本肥料組成物には、溶出が制御されていない無被覆肥料を更に含有していてもよい。本肥料組成物が無被覆肥料を含有する場合には、無被覆肥料に含有される窒素肥料成分は、本肥料組成物に含有される窒素肥料成分の１／２以下であることが好ましい。
【００１３】
無被覆肥料に含有されていてもよい肥料としては、リン酸、カリウム、珪素、マグネシウム、カルシウム、マンガン、ホウ素、鉄等の他の肥料成分を含有する化合物が挙げられる。
リン酸肥料成分を含有する化合物としては、例えば過リン酸石炭、重過リン酸石炭、苦土過リン酸、リン酸アンモニウム、苦土リン酸、硫リン安、リン硝安カリウム、塩リン安等が挙げられる。カリウム肥料成分を含有する化合物としては、例えば塩化カリウム、硫酸カリウム、硫酸カリソーダ、硫酸カリ苦土、重炭酸カリウム、リン酸カリウム、硝酸カリウム等が挙げられる。珪素肥料成分を含有する化合物としては、例えば珪酸カルシウム、珪酸カリウム等が挙げられる。マグネシウム肥料成分を含有する化合物としては、腐植酸マグネシウム、硫酸マグネシウム、水酸化マグネシウム、酢酸マグネシウム、炭酸マグネシウム等が挙げられる。
また無被覆肥料は肥料取締法で定められている有機質肥料が配合されていてもよい。有機質肥料としては、例えば、魚かす、魚荒かす、干魚肥料、魚節煮粕、肉粕、肉骨粉、蒸製てい角粉、蒸製毛粉、乾血、蒸製皮革粉、干蚕蛹、蚕蛹油かす、絹紡蚕蛹くず、大豆油かす、菜種油かす、米ぬか油かす、アミノ酸副産物、乾燥酵母、乾燥菌体、醗酵副産物、活性汚泥、醗酵乾ぷん、加工家きんふん等が挙げられる。
【００１４】
本肥料組成物において、窒素肥料成分の他にリン酸肥料成分とカリウム肥料成分とを含有していることが好ましく、窒素肥料成分とリン酸肥料成分との比が１０：２〜１０：７（Ｎ：Ｐ2Ｏ5）の範囲、窒素肥料成分とカリウム肥料成分との比が１０：２〜１０：７（Ｎ：Ｋ2Ｏ）の範囲であることが更に好ましい。
【００１５】
本発明の方法は通常、生育期初期の芝草に本肥料組成物を施用するが、被覆粒状窒素肥料(a)及び被覆粒状窒素肥料(b)における窒素肥料成分の合計量として、芝草の生育面積１ｍ2当り３〜１５ｇであることが好ましい。本発明の方法において、本肥料組成物は芝草の生育期全体を通じて、生育期初期に１回施用することで、芝草の生育に十分な量の肥料成分を供給することができ、芝草の生育管理作業は簡略化される。
本発明にように、溶出持続期間の異なる被覆粒状窒素肥料(a)及び被覆粒状窒素肥料(b)を組合わせて使用することにより、芝地土壌における窒素肥料成分の濃度の変動を小さくすることができ、これにより芝地土壌に本来存在するサッチの分解菌が盛んに増殖して、サッチを分解するのでサッチ層の堆積抑制することができる。
【実施例】
【００１６】
以下に実施例にて本発明を更に詳しく説明するが、本発明はこれに限定されるものではない。
参考例１（本肥料組成物１の調製）
溶出持続期間が約５０日である被覆粒状尿素と溶出持続期間が約１００日である被覆粒状尿素とを、窒素肥料成分換算で４：６の比率で混合した。更に、該混合物に窒素、リン酸及びカリウムを含有する無被覆粒状化成肥料を更に加え、混合して本肥料組成物１を調製した。
本肥料組成物１において、窒素肥料成分の約２８％は溶出持続期間が約５０日である被覆粒状尿素に由来し、窒素肥料成分の約４１％は溶出持続期間が約１００日である被覆粒状尿素に由来する。
【００１７】
参考例２（本肥料組成物２の調整）
溶出持続期間が約１００日である被覆粒状尿素と溶出持続期間が約１４０日である被覆粒状尿素とを、窒素肥料成分換算で３：７の比率で混合した。更に、該混合物に窒素、リン酸及びカリウムを含有する無被覆粒状化成肥料を更に加え、混合して本肥料組成物２を調製した。
本肥料組成物２において、窒素肥料成分の約１５％は溶出持続期間が約１００日である被覆粒状尿素に由来し、窒素肥料成分の約３６％は溶出持続期間が約１４０日である被覆粒状尿素に由来する。
【００１８】
参考例３（本肥料組成物３の調整）
溶出持続期間が約１００日である被覆粒状尿素と溶出持続期間が約２２０日である被覆粒状尿素とを、窒素肥料成分換算で５：５の比率で混合した。更に、該混合物に窒素、リン酸及びカリウムを含有する無被覆粒状化成肥料を更に加え、混合して本肥料組成物３を調製した。
本肥料組成物３において、窒素肥料成分の約３７％は溶出持続期間が約１００日である被覆粒状尿素に由来し、窒素肥料成分の約３７％は溶出持続期間が約２２０日である被覆粒状尿素に由来する。
【００１９】
試験例１
福岡県内の芝地（芝草の種類：コウライシバ）に、表１に示される肥料を施用し、同年の１１月下旬に当該芝地におけるサッチ層の厚さを測定した。
【００２０】
【表１】
2008154516.tif 000002
*1：化成肥料の配合割合は、Ｎ：Ｐ：Ｋ＝１０：１０：１０。
【００２１】
サッチ層の厚さは、実施例１では２．５ｃｍであり、比較例１では５．５ｃｍであった。
【００２２】
試験例２
群馬県内の芝地（芝草の種類：コウライシバ）に、表２に示される窒素肥料を施用し、同年の１１月上旬にサッチ層の厚さを測定した。
【００２３】
【表２】
2008154516.tif 000003
【００２４】
サッチ層の厚さは、実施例２では３．５ｃｍであった。
【００２５】
試験例３
北海道内の芝地（芝草の種類：西洋芝）に、表３に示される窒素肥料を施用し、同年の１０月下旬にサッチ層の厚さを測定した。
【００２６】
【表３】
2008154516.tif 000004
【００２７】
サッチ層の厚さは、実施例３では２．０ｃｍであった。
【００２８】
試験例４
千葉県内の芝地（芝草の種類：コウライシバ）に、表４に示される窒素肥料を施用し、同年の１１月上旬にサッチ層の厚さを測定した。
【００２９】
【表４】
2008154516.tif 000005
【００３０】
サッチ層の厚さは、実施例３では２．５ｃｍであった。
【産業上の利用可能性】
【００３１】
本発明の方法により、芝地におけるサッチ層の堆積抑制することができる。